(57)【要約】【課題】軽量化を図ることができる電動送風機を提供することを課題とする。【解決手段】空気を吸引するファン２と、ファン２を覆うファンケース４と、ファン２の下流側に設けられたファン駆動用のモータ５と、モータ５を支持すると共に、モータ５を覆うモータケース６と、ファン２とモータ５との間に設けられ、ファン２により吸引され、モータケース６内に送り出される空気を整流する整流板７とを備え、モータ５が、ステータ８と、ステータ８の内側に配設されたロータ９と、ロータ９に連なってロータ９の上流側に配設された整流子１０とを具備した電動送風機において、前記モータケース６を樹脂で形成し、ステ−タ８は、モータケース６と整流板７との間に挟んで保持する。【選択図】          図１
2005016451.tif 000002
【特許請求の範囲】
【請求項１】
空気を吸引するファンと、ファンを覆うファンケースと、ファンの下流側に設けられたファン駆動用のモータと、モータを支持すると共に、モータを覆うモータケースと、ファンとモータとの間に設けられ、ファンにより吸引され、モータケース内に送り出される空気を整流する整流板とを備え、モータが、ステ−タと、ステ−タの内側に配設されたロータと、ロータに連なってロータの上流側に配設された整流子とを具備した電動送風機において、前記モータケースは樹脂で形成され、ステ−タは、モータケースと整流板との間に挟まれて保持されていることを特徴とする電動送風機。
【請求項２】
前記整流板にモータ側へ向けて突出する突出部が形成され、ステ−タは、モータケースと突出部との間に挟まれて保持されていることを特徴とする請求項１記載の電動送風機。
【請求項３】
前記ステ−タに整流板側から挿入されるマグネットは、前記突出部により保持されていることを特徴とする請求項２記載の電動送風機。
【請求項４】
前記整流子に圧接するブラシを収納するブラシスリーブは、整流板とモータケースとの間に挟まれて保持されていることを特徴とする請求項１乃至請求項４の何れか１項に記載の電動送風機。
【発明の詳細な説明】
【０００１】
【発明の属する技術分野】
本発明は、電動送風機に関するものであり、さらに詳しくは、例えば電気掃除機の掃除機本体内で集塵室の後方（下流側）などに配されて、所定方向への空気の流れを生じさせる電動送風機に関するものである。
【０００２】
【従来の技術】
この種の電動送風機のモータは、ステ−タと、ステ−タの内側に配設されたロータと、ロータに連なってロータの前方（上流側）に配設された整流子とから構成されると共に、モータケースにより覆われている。そして、明細書中には明記されていないが、ステ−タはモータケース内の所定位置に圧入等により固定されている。（例えば、特許文献１参照）
【０００３】
【特許文献１】
特開平７−１８９９９７号公報（図２）
【０００４】
【発明が解決しようとする課題】
上述した如く、モータケースは圧入等によりステ−タを所定位置に保持するためにそれなりの強度を必要とする。このため、モータケースは必然的に金属製のモータケースにする必要がある。この結果、金属製モータケースで構成された電動送風機の重量は重くなり、当然この電動送風機を使用した例えば電気掃除機等の重量も重くなってしまい、電気掃除機の取り扱いが煩わしくなってしまう等の欠点があった。
【０００５】
本発明は、このような課題を解決するためになされたものであり、軽量化を図ることができる電動送風機を提供することを課題とする。
【０００６】
【課題を解決するための手段】
上記課題を解決するための第１の手段は、空気を吸引するファンと、ファンを覆うファンケースと、ファンの下流側に設けられたファン駆動用のモータと、モータを支持すると共に、モータを覆うモータケースと、ファンとモータとの間に設けられ、ファンにより吸引され、モータケース内に送り出される空気を整流する整流板とを備え、モータが、ステ−タと、ステ−タの内側に配設されたロータと、ロータに連なってロータの上流側に配設された整流子とを具備した電動送風機において、前記モータケースは樹脂で形成され、ステ−タは、モータケースと整流板との間に挟まれて保持されていることを特徴とする。
【０００７】
上記課題を解決するための第１の手段において、前記整流板にモータ側へ向けて突出する突出部が形成され、ステ−タは、モータケースと突出部との間に挟まれて保持されていることが好ましい。
【０００８】
上記課題を解決するための第１の手段において、前記ステ−タに整流板側から挿入されるマグネットは、前記突出部により保持されていることが好ましい。
【０００９】
上記課題を解決するための第１の手段において、前記整流子に圧接するブラシを収納するブラシスリーブは、整流板とモータケースとの間に挟まれて保持されていることが好ましい。
【００１０】
【発明の実施の形態】
本発明に係る電動送風機の一実施形態を図１乃至図３に基づいて説明する。
本発明の電動送風機１は、空気を吸引するファン２と、ファン２を覆うと共に、上方に空気流入口３を有するファンケース４と、ファン２の下流側に設けられたファン駆動用のモータ５と、モータ５を支持すると共にモータ５を覆う樹脂製のモータケース６と、ファン２とモータ５との間に設けられ、ファン２によりモータケース６内へ送風される空気を整流する整流板７とを備えている。
また、モータ５は、ステ−タ８と、ステ−タ８の内側に配設されたロータ９と、ロータ９に連なってロータ９の上流側に配設された整流子１０とから構成されている。
【００１１】
モータケース６は上方を開放した略筒状の形状をしており、その下方の内壁形状は、外形が多角形のステ−タ８の外周形状に略一致する形状になっている。また、モータケース６の下方には、全周にわたり内壁から中心側に向けて突出する段部１１が形成されている。これにより、ステ−タ８をモータケース６内に上方から挿入した際には、ステ−タ８は、モータケース６の内壁により回り止めされると共に、段部１１により下方への移動が規制される。
【００１２】
また、モータケース６の段部１１より下方のモータケース６の底部には、ロータ９の回転軸１２を回転自在に支持する一対の軸受１３の内の下方側の軸受１３を下方から保持する第１軸受保持部１４が形成されている。ファン２は回転軸１２の一端に装着されている。また、モータケース６の上方には、整流子１０に圧接するブラシ１５が収納されたブラシスリーブ１６を下方から保持するブラシ保持部１７が形成されている。ブラシ１５はブラシスリーブ１６に装着されたスプリング１８により整流子１０側に付勢されている（図１参照）。
【００１３】
整流板７は、下方に向けて円周状に突出形成された突条１９により構成される複数の空気流路２０を有する円筒状に形成されており、螺子２１によりモータケース６に装着されることによって、モータケース６の上方開放を閉塞するようになっている。
【００１４】
また、整流板７には、モータケース６側に向けて突出する突出部２２が形成されており、整流板７をモータケース６に装着した状態で、突出部２２先端はステ−タ８上面及びステ−タ８の上方から挿入されるマグネット２３に当接するようになっている。また、突条１９の先端は、ブラシスリーブ１６に当接するようになっている。
【００１５】
整流板７の中心部には、ロータ９の回転軸１２を回転自在に支持する一対の軸受１３の内の上方側の軸受１３を上方から保持する第２軸受保持部２４が形成されている。第１軸受保持部１４と第２軸受保持部２４とにより、ロータ９の回転軸１２を回転自在に支持する一対の軸受１３の両端を挟んで保持することができ、構成を簡素化することができる。
【００１６】
この電動送風機１にあっては、電動送風機１外の空気は、ファン２の駆動によりファンケース４の空気流入口３から電動送風機１内に流入し、整流板７及びブラシスリーブ１６を介してモータケース６内に送風される。
【００１７】
以上の如く、電動送風機１を本実施形態の構成にすることにより、モータケース６を樹脂により構成することができ、電動送風機１の軽量化を図ることができる。また、ステ−タ８は、モータケース６の段部１１と整流板７の突出部２２との間に挟み込むことにより保持することができるため、従来の金属製のモータケースのようにステ−タをモータケースに圧入する等の作業が不要となり、モータ５の組立作業性を向上させることができる。
【００１８】
また、ステ−タ８に挿入されるマグネット２３も突出部２２により保持することができるため、従来のようにマグネットをステ−タに接着固定する等の作業が不要となり、マグネット２３の組立作業性を向上させることができる。
【００１９】
また、ブラシスリーブ１６は、モータケース６のブラシ保持部１７と整流板７の突条１９と間に挟み込むことにより保持することができるため、従来の金属製のモータケースのようにモータケースとブラシ及びブラシスリーブとの絶縁のために、絶縁性のブラシホルダを介してモータケースにブラシスリーブを装着する必要がなく、ブラシホルダを廃止することにより部品点数を削減して構成を簡素化することができると共に、ブラシスリーブ１６の取付作業性を向上させることができる。
【００２０】
また、ブラシスリーブ１６には、モータ５を通過した後の暖かい空気ではなく、整流板７を通過した直後の冷たい空気が供給されるため、ブラシ１５の冷却を効率よく行うことができ、ブラシ１５の長寿命化を図ることができる。
【００２１】
また、ロータ９の回転軸１２を回転自在に支持する一対の軸受１３の両端は、モータケース６の第１軸受保持部１４と整流板７の第２軸受保持部２４とに間に挟み込んで保持することができるため、一対の軸受１３を予め装着したロータ完成品の状態で一対の軸受１３の両端を第１軸受保持部１４と第２軸受保持部２４とで挟み込むだけで容易にモータ部を構成することができる。
【００２２】
この結果、従来の金属製のモータケースのように一対の軸受を各々別部品によりモータケースに固定する作業が不要になると共に、固定された一対の軸受にロータを通してモータ部を構成する等の作業も不要となり、部品点数を削減して構成を簡素化することができると共に、モータ５の組立作業性を向上させることができる。
【００２３】
【発明の効果】
本発明の請求項１の構成によれば、モータケースを樹脂により構成することができ、電動送風機の軽量化を図ることができると共に、電動送風機のモータの組立作業性を向上させることができる等の効果を奏する。
【００２４】
本発明の請求項２の構成によれば、モータケースを樹脂により構成することができ、電動送風機の軽量化を図ることができると共に、整流板の突出部により電動送風機のモータの組立作業性を向上させることができる等の効果を奏する。
【００２５】
本発明の請求項３の構成によれば、モータケースを樹脂により構成することができ、電動送風機の軽量化を図ることができると共に、整流板の突出部によりマグネットの取付作業性を向上させることができる等の効果を奏する。
【００２６】
本発明の請求項４の構成によれば、モータケースを樹脂により構成することができ、電動送風機の軽量化を図ることができると共に、ブラシを収納したブラシスリーブの取付作業性を向上させることができる等の効果を奏する。
【図面の簡単な説明】
【図１】本発明の一実施形態を示す電動送風機を側方から見た半断面図である。
【図２】同一部断面斜視図で、ファンケース及びファンを取り外した状態を示す。
【図３】同一部断面斜視図で、ファンケース、ファン及びロータを取り外した状態を示す。
【符号の説明】
１      電動送風機
２      ファン
４      ファンケース
５      モータ
６      モータケース
７        整流板
８        ステ−タ
９        ロータ
１０      整流子
【図１】
2005016451.tif 000003
【図２】
2005016451.tif 000004
【図３】
2005016451.tif 000005